(57)【要約】【課題】  様々なホースの径に柔軟に対応できるとともに、軽量かつ低コストに実現できるようにする。【解決手段】  本発明のホース牽引具１は、動力噴霧機２０のホース２１を作業者Ｍの身体に連結して牽引するためのものであり、可撓性を有する扁平なバンド４の長さ方向の略中央部で折り曲げられることにより、長さ方向の両端部が互いに接合されてなるホース保持部２と、該ホース保持部２におけるバンド４の接合部位４ａに設けられ、作業者Ｍの身体に接続するための作業者接続部３とを備えている。ホース保持部２におけるバンドの接合部位４ａ及び折り曲げ部位４ｂの間をホース２１の外周に巻き付けるとともに、該折り曲げ部位に形成されたループの中に接合部位４ａ及び作業者接続部３を通すことにより、ホース保持部２にホース２１を保持するように構成されている。【選択図】      図１
2014104436.tif 000002
【特許請求の範囲】
【請求項１】
動力噴霧機のホースを作業者の身体に連結して牽引するためのホース牽引具であって、
可撓性を有する扁平なバンドの長さ方向の略中央部で折り曲げられることにより、長さ方向の両端部が互いに接合されてなるホース保持部と、
該ホース保持部における前記バンドの接合部位に設けられ、作業者の身体に接続するための作業者接続部とを備え、
前記ホース保持部における前記バンドの接合部位及び折り曲げ部位の間を前記ホースの外周に巻き付けるとともに、該折り曲げ部位に形成されたループの中に該接合部位及び前記作業者接続部を通すことにより、前記ホース保持部に前記ホースを保持するように構成されたホース牽引具。
【請求項２】
前記ホース保持部は、前記バンドの両端部が相対的に１８０°捻られた状態で互いに接合されてなる請求項１記載のホース牽引具。
【請求項３】
前記ホース保持部は、前記折り曲げ部位側へ突出する舌片部を備えた請求項１又は２記載のホース牽引具。
【請求項４】
前記舌片部は、前記バンドの一方の端部が、前記折り曲げ部位側へ折り返されることにより形成された請求項３記載のホース牽引具。
【発明の詳細な説明】
【技術分野】
【０００１】
本発明は、動力噴霧機のホースを作業者の身体に連結して牽引するためのホース牽引具に関するものである。
【背景技術】
【０００２】
防除作業等において、動力噴霧機のホースを手で引くのは重労働であるため、この負担を軽減するために、ホースの先端側と作業者の身体とを紐状のものや、ホース保持ベルトで結び付けることが行われている。
【０００３】
この種のホース保持ベルトとしては、例えば、特許文献１に記載された動力噴霧機におけるホース保持ベルトがある。このホース保持ベルトは、図６に示すように、作業者の身体に装丁自在としたベルト１０１に、ブラケット１０２を介して装着し、そのブラケット１０２に、流出側となる一端側には噴霧竿に連結する手元ホースｈの基端側を接続する接続口１５０を具備し、流入側となる他端側には動力噴霧機側から導くホースｃの先端側に対し接続する接続口１４０を具備する接続管ａを取り付けるように構成されている。
【先行技術文献】
【特許文献】
【０００４】
【特許文献１】実公平４−２７５６２号公報
【発明の概要】
【発明が解決しようとする課題】
【０００５】
ところが、紐状のものでは、その形状や材質によって、滑りやすかったり、緩みやすかったりし、作業中に何度も締め直す必要があるため、作業効率が悪いという課題がある。
【０００６】
また、特許文献１のようなホース保持ベルトには次の課題がある。
（１）ホース保持ベルトの流出側に手元ホースｈを追加接続する必要があるので、重量がかさむとともにコスト高となっている。また、手元ホースｈの長さが固定されてしまうので、その長さを作業者の身体や作業内容に応じて適宜調節できない。
（２）ホースの径ごとにネジ径が異なるため、ホースの径ごとに接続口１４０，１５０に対する接続金具等の部品を用意する必要がある。
【課題を解決するための手段】
【０００７】
前記課題を解決するために、第１の発明のホース牽引具は、
動力噴霧機のホースを作業者の身体に連結して牽引するためのホース牽引具であって、
可撓性を有する扁平なバンドの長さ方向の略中央部で折り曲げられることにより、長さ方向の両端部が互いに接合されてなるホース保持部と、
該ホース保持部における前記バンドの接合部位に設けられ、作業者の身体に接続するための作業者接続部とを備え、
前記ホース保持部における前記バンドの接合部位及び折り曲げ部位の間を前記ホースの外周に巻き付けるとともに、該折り曲げ部位に形成されたループの中に該接合部位及び前記作業者接続部を通すことにより、前記ホース保持部に前記ホースを保持するように構成されている。
【０００８】
この構成によれば、可撓性を有する前記バンドからなる前記ホース保持部を前記ホースの外周に巻き付けることによって前記ホースを保持するように構成しているので、様々な径のホースに柔軟に対応できる。また、従来例とは異なり、手元ホース及びその接続金具等の部品を用いる必要がないので、軽量かつ低コストに実現できる。
【０００９】
第２の発明のホース牽引具としては、前記第１の発明において、
前記ホース保持部は、前記バンドの両端部が相対的に１８０°捻られた状態で互いに接合されてなる態様を例示する。
【００１０】
この構成によれば、前記バンドの両端部が相対的に捻られてない状態のものに比べて、前記ホース保持部を前記ホースの外周に巻き付けたときの両者の接触面を大きくすることができるので、摩擦抵抗が大きくなり、前記ホース保持部に前記ホースをより確実に保持することができる。
【００１１】
第３の発明のホース牽引具としては、前記第１又は２の発明において、
前記ホース保持部は、前記折り曲げ部位側へ突出する舌片部を備えた態様を例示する。
【００１２】
この構成によれば、前記ホース保持部に前記ホースを保持した状態において、前記バンドの接合部位が前記ループからの外れを防止することができ、ホース牽引具の紛失を防止できる。
【００１３】
第４の発明のホース牽引具としては、前記第３の発明において、
前記舌片部は、前記バンドの一方の端部が、前記折り曲げ部位側へ折り返されることにより形成された態様を例示する。
【００１４】
この構成によれば、前記舌片部を簡単かつ低コストに実現できる。
【発明の効果】
【００１５】
本発明に係るホース牽引具によれば、様々なホースの径に柔軟に対応できるとともに、軽量かつ低コストに実現できるという優れた効果を奏する。
【図面の簡単な説明】
【００１６】
【図１】本発明を具体化した第一実施形態に係るホース牽引具の使用状態を示す図である。
【図２】同ホース牽引具を示す図であり、（ａ）は正面図、（ｂ）は背面図、（ｃ）は（ａ）のｃ−ｃ線断面図である。
【図３】同ホース牽引具のホースへの取り付け方法を示す図である。
【図４】同ホース牽引具をホースへ取り付けた状態を示す図であり、（ａ）は正面図、（ｂ）は背面図である。
【図５】本発明を具体化した第二実施形態に係るホース牽引具を示す図であり、（ａ）は正面図、（ｂ）は背面図、（ｃ）は（ａ）のｃ−ｃ線断面図である。
【図６】従来のホース保持ベルトの断面図である。
【発明を実施するための形態】
【００１７】
図１〜図４は本発明を具体化した第一実施形態のホース牽引具１を示している。このホース牽引具１は、図１に示すように動力噴霧機２０のホース２１を作業者Ｍの身体に連結して牽引するためのものであり、ホース２１を保持するホース保持部２と、作業者Ｍの身体に接続する作業者接続部３とを備えている。
【００１８】
ホース保持部２は、図２に示すように可撓性を有する扁平なバンド４の両端部が相対的に１８０°捻られた状態で、該バンドの長さ方向の略中央部で折り曲げられることにより、長さ方向の両端部が互いに接合されてなっている。バンドの素材としては、特に限定されないが、布、皮革（天然皮革又は合成皮革）、樹脂（天然樹脂又は合成樹脂）等を例示する。バンドの接合部位４ａの接合方法としては、特に限定されないが、バンドの素材に応じて、縫合、接着、金具による接合、溶着等の方法を適宜採用することができる。本例のバンドは、布製であり、その接合部位４ａは、縫い合わされることにより接合されている。
【００１９】
また、ホース保持部２は、折り曲げ部位４ｂ側へ突出する舌片部５を備えている。この舌片部５は、バンド４の一方の端部が、折り曲げ部位４ｂ側へ折り返されることにより形成されている。
【００２０】
このホース保持部２にホース２１を保持するには、図３に示すように、ホース保持部２におけるバンド４の接合部位４ａ及び折り曲げ部位４ｂの間をホース２１の外周に巻き付けるとともに、図４に示すように、折り曲げ部位４ｂに形成されたループの中に該接合部位４ａ、舌片部５及び作業者接続部３を通し、舌片部５の裏側に折り曲げ部位４ｂを係止することにより行う。
【００２１】
作業者接続部３は、ホース保持部２におけるバンド４の接合部位４ａに設けられている。本例の作業者接続部３は、舌片部５を形成するために一方の端部が折り返されることにより形成された小ループの中に通された被係止部としてのリング６からなっており、例えば、図１に示すように、作業者Ｍの身体に巻き付け装着したベルトやバンドに取り付けられた係止部７（フック、カラビナ、スナップ等）に係止されるようになっている。本例のリング６は、Ｄ字状に形成されたものを採用しているが、これに限定されない。また、作業者接続部３に係止部を設け、作業者Ｍの身体側に被係止部を設けるようにしてもよい。
【００２２】
以上のように構成された本例のホース牽引具１によれば、可撓性を有するバンド４からなるホース保持部２をホース２１の外周に巻き付けることによってホース２１を保持するように構成しているので、様々な径のホース２１に柔軟に対応できる。また、従来例とは異なり、手元ホース及びその接続金具等の部品を用いる必要がないので、軽量かつ低コストに実現できる。
【００２３】
また、ホース保持部２は、バンド４の両端部が相対的に１８０°捻られた状態で互いに接合されてなっている。この構成によれば、バンド４の両端部が相対的に捻られてない状態のものに比べて、ホース保持部２をホース２１の外周に巻き付けたときの両者の接触面を大きくすることができるので、摩擦抵抗が大きくなり、ホース保持部２にホース２１をより確実に保持することができる。
【００２４】
また、ホース保持部２は、折り曲げ部位４ｂ側へ突出する舌片部５を備えているので、ホース保持部２にホース２１を保持した状態において、バンド４の接合部位４ａが折り曲げ部位４ｂのループからの外れを防止することができ、ホース牽引具１の紛失を防止できる。
【００２５】
また、舌片部５は、バンド４の一方の端部が、折り曲げ部位４ｂ側へ折り返されることにより形成されているので、簡単かつ低コストに実現できる。
【００２６】
次に、図５は本発明を具体化した第二実施形態のホース牽引具１０を示している。このホース牽引具１０は、以下に示す点において、主に第一実施形態と相違している。従って、同実施形態と共通する部分については、同一符号を付することにより重複説明を省く。
【００２７】
本例のホース保持部２におけるバンド４の両端部は、それぞれに形成された穴が鳩目１１（環状の金具）により接合されてなっている。また、本例のホース保持部２には、舌片部が設けられていない。
【００２８】
本例の作業者接続部３は、鳩目１１の穴に通されたリング１２からなっている。本例のリング１２は、Ｏ字状に形成されたものを採用しているが、これに限定されない。
【００２９】
本例のホース牽引具１０によっても、第一実施形態のホース牽引具１と共通する部分については、同実施形態と同様の効果を得ることができる。
【００３０】
なお、本発明は前記実施形態に限定されるものではなく、例えば以下のように、発明の趣旨から逸脱しない範囲で適宜変更して具体化することもできる。
（１）バンド４の両端部の接合方法を適宜変更すること。
（２）バンド４の長さ、幅、厚さ、断面形状等を適宜変更すること。
（３）ホース保持部２は、バンド４の両端部が相対的に捻られてない状態で互いに接合されてなる態様とすること。
【符号の説明】
【００３１】
１    ホース牽引具
２    ホース保持部
３    作業者接続部
４    バンド
４ａ  接合部位
４ｂ  折り曲げ部位
５    舌片部
６    リング
７    係止部
１０    ホース牽引具
１１    鳩目
１２    リング
Ｍ  作業者
【図１】
2014104436.tif 000003
【図２】
2014104436.tif 000004
【図３】
2014104436.tif 000005
【図４】
2014104436.tif 000006
【図５】
2014104436.tif 000007
【図６】
2014104436.tif 000008